(57)【要約】【課題】安価で作業性に優れた洗浄ブラシカセットを備える内視鏡洗浄消毒装置を提供すること。【解決手段】内視鏡洗浄消毒装置３は、洗浄ブラシ５０及びこの洗浄ブラシ５０のチューブ部５１を押圧挟持するローラ６１、６２を備える進退機構部６０を備え、一端側に第１接続口４３ａ及び第２接続口４４ａを有する洗浄ブラシカセット４０と、内視鏡２が載置される洗浄槽６、洗浄ブラシカセット４０が有する第１接続口４３ａが接続される第１の流体供給路３７、洗浄ブラシ５０が有する第２接続口４４ａが接続される第２の流体供給路３８、及び洗浄ブラシカセット４０の進退機構部６０を駆動する駆動力を供給する駆動モータ７１を備える内視鏡洗浄装置本体４と、第１の流体供給路３７及び第１接続口４３ａを介して、駆動モータ７１の駆動力を進退機構部６０に伝達する伝達部材６０とを具備している。【選択図】図４
2009183470.tif 000002
【特許請求の範囲】
【請求項１】
洗浄ブラシ及びこの洗浄ブラシのブラシ挿入部を押圧挟持する少なくとも１つのローラを備える進退機構部をケース体内に備え、このケース体の一端側に第１の接続口及び第２の接続口を有する洗浄ブラシカセットと、
内視鏡が載置される洗浄槽、前記洗浄ブラシカセットが有する第１の接続口が接続される第１の流体供給路、前記洗浄ブラシが有する第２の接続口が接続される第２の流体供給路、及び前記洗浄ブラシカセットの進退機構部を駆動する駆動力を供給する駆動モータを備える内視鏡洗浄装置本体と、
前記第１の流体供給路及び前記第１の接続口を介して、前記駆動モータの駆動力を前記進退機構部に伝達する駆動力伝達手段と、
を具備することを特徴とする内視鏡洗浄消毒装置。
【請求項２】
前記駆動モータのモータ軸が、前記第１の接続口の開口と対向する前記第１の流体供給路内に突出し、このモータ軸の端部に係入部材を備える構成において、
前記駆動力伝達手段は、
前記洗浄ブラシカセット内に備えられた前記進退機構部に螺合する螺合部と、
前記係入部材に係入される接続部と、
この接続部と前記螺合部とをそれぞれの端部に備えた軸部材と、
を備えることを特徴とする請求項１に記載の内視鏡洗浄消毒装置。
【請求項３】
前記進退機構部は、
一対の軸のそれぞれの一端部に備えられるローラと、
前記それぞれの軸の他端部に備えられて、前記螺合部と螺合するギアと、
を備えることを特徴とする請求項２に記載の内視鏡洗浄消毒装置。
【請求項４】
前記駆動モータのモータ軸が、前記第１の接続口の開口と対向する前記第１の流体供給路内に突出する構成において、
前記駆動力伝達手段は、
前記洗浄ブラシカセット内に備えられた前記進退機構部に螺合する螺合部と、
この螺合部を先端部に固設した前記モータ軸と、
で構成されることを特徴とする請求項１に記載の内視鏡洗浄消毒装置。
【請求項５】
前記第１の接続口は、前記駆動力伝達手段接続口と、流体供給路とを兼ねることを特徴とする請求項２又は請求項４に記載の内視鏡洗浄消毒装置。
【請求項６】
前記第２の接続口は、前記洗浄ブラシのブラシ挿入部が進退する出入り口と、流体供給路とを兼ねることを特徴とする請求項１に記載の内視鏡洗浄消毒装置。
【発明の詳細な説明】
【技術分野】
【０００１】
本発明は、内視鏡の有する内視鏡管路内にブラシカセットが備える洗浄ブラシを挿通させて、内視鏡管路内の洗浄消毒を行う内視鏡洗浄消毒装置に関する。
【背景技術】
【０００２】
内視鏡は、検査や治療の目的で体腔内に挿入される。体腔内に挿入された内視鏡は、挿入部の外表面に体液や汚物等が付着するだけでなく、挿入部に設けられている処置具チャンネルを兼ねる吸引管路等の内視鏡管路内にも体液、汚物等が付着する。そのため、使用後の内視鏡においては、外表面、及び内視鏡管路を洗浄、消毒する必要がある。
【０００３】
近年、使用済みの内視鏡の洗浄消毒は、内視鏡洗浄消毒装置によって行われる。例えば、特許文献１には使用済みの内視鏡の特に内視鏡管路を衛生的、かつ効率的に確実な洗浄消毒が行えると共に、使用済みの劣化した洗浄ブラシを未使用の洗浄ブラシに容易に交換できる内視鏡洗浄消毒装置が示されている。
【０００４】
この内視鏡洗浄消毒装置は、洗浄ブラシカセットを構成するローラ収容部内に駆動ローラを備え、その駆動ローラの有するローラ軸はローラ収容部の下面部で回動自在、且つ気密状態で回動支持されている。このローラ軸の下端部には、所定の形状に切り欠き形成された係合部が設けられている。
【０００５】
係合部は、洗浄ブラシカセットが設置されるカセット設置部のユニット設置面に対して回動自在に配置されたローラ軸コネクタ部に形成されている係合穴に係合する構成であり、ローラ軸コネクタ部はブラシ進退モータのモータ軸に連結されている。
【特許文献１】特開２００７−２７５４３８号公報
【発明の開示】
【発明が解決しようとする課題】
【０００６】
しかしながら、特許文献１の内視鏡洗浄消毒装置においては、洗浄ブラシカセットを構成するローラ収容部内に設けられている駆動ローラのローラ軸を、ローラ収容部の側部に設けた貫通孔から突出している。この構成では、ローラ軸を気密状態で回動支持するために回転シールを用いるが、この回転シールは高価であり、使い捨ての洗浄ブラシカセットの原価を高価にする要因の１つになっている。
【０００７】
本発明は上記事情に鑑みてなされたものであり、安価で作業性に優れた洗浄ブラシカセットを備える内視鏡洗浄消毒装置を提供することを目的にしている。
【課題を解決するための手段】
【０００８】
本発明の内視鏡洗浄消毒装置は、洗浄ブラシ及びこの洗浄ブラシのブラシ挿入部を押圧挟持する少なくとも１つのローラを備える進退機構部をケース体内に備え、このケース体の一端側に第１の接続口及び第２の接続口とを有する洗浄ブラシカセットと、内視鏡が載置される洗浄槽、前記洗浄ブラシカセットが有する第１の接続口が接続される第１の流体供給路、前記洗浄ブラシカセットが有する第２の接続口が接続される第２の流体供給路、及び前記洗浄ブラシカセットの進退機構部を駆動する駆動力を供給する駆動モータを備える内視鏡洗浄装置本体と、前記第１の流体供給路及び前記第１の接続口を介して、前記進退機構部に前記駆動モータの駆動力を伝達する駆動力伝達手段とを具備している。
【０００９】
この構成によれば、洗浄ブラシカセットのケース体に駆動力伝達手段を配置するための貫通孔が不要になり、その貫通孔の水密及び駆動力伝達手段を回動支持するための回転シールが不要になる。また、洗浄ブラシカセットの第１の接続口及び第２の接続口を内視鏡洗浄装置本体の第１の流体供給路及び第２の流体供給路に着脱する作業、及び進退機構部と駆動モータとを着脱する作業、を略同時に行える。
【発明の効果】
【００１０】
本発明によれば、安価で作業性に優れた洗浄ブラシカセットを備える内視鏡洗浄消毒装置を実現できる。
【発明を実施するための最良の形態】
【００１１】
以下、図面を参照して本発明の実施の形態を説明する。
【００１２】
図１乃至図６は本発明の一実施形態に係り、図１は内視鏡洗浄消毒システムを説明する図、図２は洗浄ブラシカセットに備えられる洗浄ブラシ及び進退機構部の構成を説明する図、図３は洗浄消毒装置本体に設けられる洗浄ブラシカセット収容部と流体供給管路と駆動モータとの関係を説明する図、図４は洗浄ブラシカセットを洗浄消毒装置本体の洗浄ブラシカセット収容部に取り付けた状態を説明する図、図５は洗浄消毒装置本体に設けられる洗浄ブラシカセット収容部の他の構成例と、洗浄ブラシカセットとの関係を説明する図、図６は洗浄ブラシカセットを構成するブラシ導出部の他の構成を説明する図である。
【００１３】
図１に示す符号１は内視鏡洗浄消毒システムであって、内視鏡２と内視鏡洗浄消毒装置３とを備えて構成される。内視鏡洗浄消毒装置３は、内視鏡２の外表面及び処置具チャンネルを兼ねる吸引管路等の内視鏡管路内をも洗浄、消毒する装置である。
【００１４】
内視鏡洗浄消毒装置３は、洗浄消毒装置本体（以下、装置本体と略記する）４と、トップカバー５と備えている。装置本体４の上部には所定の開口形状及び深さの洗浄槽６が設けられている。洗浄槽６の開口は、装置本体４に開閉自在に設置されているトップカバー５によって塞がれる。トップカバー５で洗浄槽６の開口を閉塞状態にしたとき、トップカバー５の一面側が開口周囲に設けられたパッキン４ａに密着して水密状態が保持される。したがって、洗浄消毒中において、洗浄槽６内に供給された洗浄液、濯ぎ水、消毒液等の液体が装置本体４の外部に飛散することは防止される。
【００１５】
トップカバー５は、硬質で光透過性を有する樹脂部材、いわゆる透明樹脂部材若しくは半透明樹脂部材で所定形状に形成されている。したがって、ユーザは、トップカバー５によって洗浄槽６の開口が閉塞された状態であっても、トップカバー５を通して洗浄槽６内を目視にて観察することが可能である。
【００１６】
内視鏡２は、例えば操作部２１と、この操作部２１から延出する可撓性を有する挿入部２２とを有して構成されている。操作部２１には、送気送水管路配設部２３と吸引管路配設部２４とが設けられている。送気送水管路配設部２３には、内視鏡２の有する内視鏡管路である図示しない送気管路の端部開口、送水管路の端部開口、副送水管路の端部開口、及び漏水検知ノズル等が設けられている。一方、吸引管路配設部２４には、内視鏡２の有する内視鏡管路の１つである、処置具チャンネルを兼ねる破線に示す吸引管路２ａの端部開口が設けられている。
【００１７】
使用済みの内視鏡２は、例えば専用の内視鏡保持トレー（以下、トレーと略記する）７に収容された状態で洗浄槽６内に設置される。トレー７の上面側には、内視鏡２を所定の位置に配置させて収容するための収容凹部８が設けられている。収容凹部８は、収容される内視鏡２の操作部２１の外形形状と、挿入部２２の径寸法及び長さ寸法等を考慮して所定形状に形成されている。即ち、収容凹部８は、操作部２１が収容される操作部収容部８ａと、挿入部２２が収容される挿入部収容部８ｂとを備えて構成されている。
【００１８】
内視鏡２の操作部２１の外形形状、或いは挿入部２２の径寸法、或いは長さ寸法は用途により異なる。そのため、複数種類の内視鏡２を所有する施設では、それぞれの内視鏡２に対応する専用のトレー７を用意する。
【００１９】
本実施形態の洗浄槽６の側壁には洗浄ノズル着脱部が備えられている。具体的に内視鏡洗浄消毒装置３は、洗浄ノズル着脱部として送気送水管路洗浄部３１と吸引管路洗浄部３２とを備えている。送気送水管路洗浄部３１には流体供給ユニット３３が設けられ、吸引管路洗浄部３２には吸引管路洗浄ノズル３４が設けられている。
【００２０】
流体供給ユニット３３は、トレー７に収容された内視鏡２の送気送水管路配設部２３に設けられている送気管路の端部開口、送水管路の端部開口、副送水管路の端部開口、及び漏水検知ノズルにそれぞれ連結される図示しない送気用ノズル、送水用ノズル、副送水用ノズル、及び漏水検知ノズル連通部を備えている。一方、吸引管路洗浄ノズル３４は、吸引管路配設部２４に設けられた吸引管路２ａの端部開口に連結される。
【００２１】
内視鏡洗浄消毒装置３の縁部であって、吸引管路洗浄ノズル３４近傍には、後述する洗浄ブラシカセット４０を設置する洗浄ブラシカセット収容部３５が設けられている。
【００２２】
図２に示すようにケース体である洗浄ブラシカセット４０は、筒状のブラシ導出部４１と、筒状のブラシ収納部４２とで構成されている。ブラシ導出部４１とブラシ収納部４２とは別部材であって、ブラシ導出部４１の基端側開口とブラシ収納部４２の先端側開口とが例えば接着、或いは溶着等によって一体に固定されている。
【００２３】
ブラシ導出部４１は、先端側に第１突出部４３と第２突出部４４と並設し、第１突出部４３は流体流入口である第１接続口４３ａを備え、第２突出部４４はブラシ導出口と流体流出口とを兼ねる第２接続口４４ａを備えている。突出部４３、４４の外周面にはそれぞれＯリング４５が設けられている。Ｏリング４５は、接続口４３ａ、４４ａを後述する流体供給路（図３の符号３７、３８）に接続したとき流体供給路３７、３８の内周面３７ｉ、３８ｉにそれぞれ密着して、接続口と流体供給路との間の水密を保持する。
【００２４】
ブラシ収納部４２は中空部４２ａを備え、例えば中空部４２ａ内には、洗浄ブラシ５０を構成する長尺なブラシ挿入部であるチューブ部５１と、このチューブ部５１を進退移動させるブラシ進退機構部６０とが配設されている。
【００２５】
チューブ部５１は、可撓性を有する長尺なチューブ体であり、チューブ部５１の先端側にはブラシ部５２が設けられている。ブラシ部５２は、チューブ部５１の先端側に吸引管路２ａ内をブラッシング洗浄するブラシ毛を植毛して構成されている。チューブ部５１は、ブラシ収納部４２の中空部４２ａ内に巻き取られて収納される。
【００２６】
ブラシ進退機構部６０は、弾性部材で構成された一対のローラ６１、６２と、一対のギア６３、６４と、駆動力伝達手段である伝達部材６５とで主に構成されている。尚、ギア６３、６４は、はす歯歯車であり、伝達部材６５に設けられる後述するネジ歯車６９と噛合する。
【００２７】
第１のローラ６１は、第１軸６６の一端部に固設され、この第１軸６６の他端部には第１のギア６３が固設されている。一方、第２のローラ６２は、第２軸６７の一端部に固設され、この第２軸６７の他端部には第２のギア６４が固設されている。伝達部材６５は、軸部材６８と、軸部材６８の一端部に固設されたネジ歯車６９と、軸部材６８の他端部に固設された接続部７０とを備えて構成されている。
【００２８】
第１軸６６及び第２軸６７は、中空部４２ａ内に配設される図示しない固定具に所定間隔で回動自在に軸支されている。このことによって、洗浄ブラシ５０のチューブ部５１は、第１ローラ６１と第２ローラ６２との間に所定の押圧状態で挟持される。また、伝達部材６５のネジ歯車６９は螺合部であって、第１のギア６３と第２のギア６４とに噛合した状態で配設される。
【００２９】
第１ローラ６１と第２ローラ６２との間に挟持されたチューブ部５１は、第２の接続口４４ａから外部に導出される。一方、第１のギア６３と第２のギア６４とにネジ歯車６９が噛合する軸部材６８は、第１の突出部４３内に挿通されており、接続部７０が第１の接続口４３ａ近傍に配置されている。
【００３０】
なお、上述においてはブラシ進退機構部６０をブラシ収納部４２に配設するとしているが、ブラシ進退機構部６０をブラシ導出部４１の中空部内に配設する構成にしてもよい。
【００３１】
図３に示す洗浄ブラシカセット収容部３５は、洗浄ブラシカセット４０が配設される凹み空間部３６を備えている。洗浄ブラシカセット収容部３５の凹み空間部３６を構成する洗浄槽側壁３６ａには、第１の流体供給路３７の流出口３７ａと、第２の流体供給路３８の流入口３８ａとが形成されている。第２の流体供給路３８の図示しない他端開口は前記吸引管路洗浄ノズル３４に連結されるように構成されている。
【００３２】
流出口３７ａには洗浄ブラシカセット４０の第１接続口４３ａが接続可能であり、流入口３８ａには洗浄ブラシカセット４０の第２接続口４４ａが接続可能である。そして、後述する図４に示すように洗浄ブラシカセット４０の第１接続口４３ａを流出口３７ａに接続し、第２接続口４４ａを流入口３８ａに接続することによって、内視鏡２の吸引管路２ａに洗浄液、濯ぎ水、消毒液等を供給する洗浄消毒流路（符号３９参照）が構成される。なお、洗浄ブラシカセット収容部３５は、図示しない蓋部材によって塞がれる構成になっている。
【００３３】
本実施形態において、装置本体４の所定部に駆動モータ７１が配設されている。駆動モータ７１は、洗浄ブラシカセット４０に設けられているブラシ進退機構部６０を構成するギア６３、６４に噛合しているネジ歯車６９を端部に備える伝達部材６５の軸部材６８を回転させる駆動力を有する。
【００３４】
駆動モータ７１のモータ軸７２は、例えば水平に配置され、モータ軸７２の先端部には軸部材６８の端部に設けられた接続部７０と係入する係入溝７３ａを備えた係入部材７３が固設されている。モータ軸７２は、駆動モータ７１が配設されている空間と第１の流体供給路３７とを隔てる隔壁７４に形成されている貫通孔を構成する段付き孔７５を介してして第１の流体供給路３７内に突出している。
【００３５】
段付き孔７５の細径孔内にはモータ軸７２が挿通され、太径孔内には細径孔を介して駆動モータ７１側に洗浄液や濯ぎ水等の流体が漏出することを防止する回転シール７６が配設される。モータ軸７２は、回転シール７６によって、気密状態で回動支持される。モータ軸７２は、流出口３７ａを備える孔の中心軸に対して略同軸に配置されている。
【００３６】
上述のように構成した内視鏡洗浄消毒システム１の作用を説明する。  
使用済みの内視鏡２の洗浄消毒を内視鏡洗浄消毒装置３で行う際、ユーザは、前記図１に示されているように使用済みの内視鏡２を収容凹部８に配置したトレー７を洗浄槽６に所定の状態で設置する。
【００３７】
また、ユーザは、内視鏡洗浄消毒装置３の洗浄ブラシカセット収容部３５に洗浄ブラシカセット４０を取り付ける。その際、ユーザは、図４の破線に示す洗浄ブラシカセット４０を洗浄ブラシカセット収容部３５の開口に対峙させ、矢印Ａに示すように洗浄ブラシカセット４０を凹み空間部３６内に導く。
【００３８】
そして、凹み空間部３６内に導いた洗浄ブラシカセット４０を流出口３７ａ、流入口３８ａに向けて移動していく。すると、第１接続口４３ａが第１の流体供給路３７内に挿入されるとともに、第２接続口４４ａが第２の流体供給路３８内に挿入される。
【００３９】
ここで、洗浄ブラシカセット４０の移動を続行することによって、第１突出部４３に設けられているＯリング４５が第１の流体供給路３７内に導入されるとともに、第２突出部４４に設けられているＯリング４５が第２の流体供給路３８内に導入される。その後、接続部７０が係入部材７３の係入溝７３ａに係入して駆動力伝達状態になり、洗浄ブラシカセット４０の取り付けを完了する。
【００４０】
このとき、それぞれのＯリング４５は、第１の流体供給路３７の内周面３７ｉ及び第２の流体供給路３８の内周面３８ｉに密着して、流体供給路３７、３８と突出部４３、４４との連結部分の水密を確保する。このことによって、第１の流体供給路３７と第２の流体供給路３８とが洗浄ブラシカセット４０の内部空間４０ａを介して連通状態になって、前記洗浄消毒流路３９が構成される。  
この後、ユーザは、トップカバー５を閉状態にする。このことによって、内視鏡の洗浄消毒の準備が完了する。
【００４１】
次に、ユーザは、内視鏡洗浄消毒装置３に備えられている図示しない操作パネルのスタートスイッチを操作する。すると、内視鏡洗浄消毒装置３は、規定のプログラムに応じて、洗浄工程、濯ぎ工程、消毒工程、そして再度濯ぎ工程を順次実行し、最後にアルコールフラッシュによる脱水工程を行って、内視鏡２を洗浄消毒する一連の動作を完了する。
【００４２】
スタートスイッチが押されると、内視鏡洗浄消毒装置３の制御部（不図示）は、例えば、流体供給ユニット３３を送気送水管路配設部２３に装着するために図示しないソレノイドを駆動すると共に、吸引管路洗浄ノズル３４を吸引管路配設部２４に装着するために図示しないソレノイドを駆動する。そして、制御部は、流体供給ユニット３３が送気送水管路配設部２３に装着されたこと、及び吸引管路洗浄ノズル３４が吸引管路配設部２４に装着されたことを確認すると、内視鏡２の洗浄工程を開始する。
【００４３】
すなわち、図示しない循環ポンプの駆動により、洗浄液が洗浄槽６と流体供給ユニット３３と吸引管路洗浄ノズル３４とに送液される。ここで、吸引管路洗浄ノズル３４に送液された洗浄液は、内視鏡２の吸引管路２ａ内に供給される。
【００４４】
また、駆動モータ７１の駆動により、ブラッシング洗浄を行うブラシ部５２が前進を開始する。駆動モータの回転力は、図示しないブラシ進退機構部６０の係入部材７３、接続部７０を介して軸部材６８、ネジ歯車６９に伝達される。すると、ネジ歯車６９に噛合しているギア６３、６４が同時に回転を開始して、このギア６３、６４が固設されている軸６６、６７を介してローラ６１、６２も回転を開始する。ローラ６１、６２が回転することによって、これらローラ６１、６２間に挟持されていた洗浄ブラシ５０のチューブ部５１が前進を開始して、チューブ部５１が第２の流体供給路３８内に導出されていく。
【００４５】
このことによって、チューブ部５１の先端に設けられているブラシ部５２が第２の流体供給路３８内、吸引管路洗浄ノズル３４内を通過した後、内視鏡２の吸引管路２ａ内に導入され、この吸引管路２ａ内を移動していく。吸引管路２ａ内に導入されたブラシ部５２は、制御部の制御によって、前後動を繰り返しながら、前進していく。
【００４６】
その後、制御部は、ブラシ部５２が内視鏡２の挿入部２２の先端から突出したことを検知すると、前進制御を停止させ、その後、ブラシ部５２を繰り返し前後動させながら後退されていく。
【００４７】
そして、洗浄ブラシ５０は、規定のプログラムに応じて、吸引管路洗浄ノズル３４から吸引管路２ａの先端開口までの前進、或いは後退を繰り返して、ブラシ部５２による吸引管路２ａのブラッシング洗浄を行う。
【００４８】
なお、洗浄液は、洗浄工程中、常に、内視鏡２の吸引管路２ａ中に送液されている。また、洗浄工程を終了して濯ぎ工程を実行するとき、制御部は、ブラシ部５２を洗浄ブラシカセット４０の初期位置に移動させた後、駆動モータ７１の駆動を停止状態にする。
【００４９】
本実施の形態の内視鏡洗浄消毒装置３は、内視鏡２の外表面、並びに吸引管路２ａを洗浄し、その後、各種工程を実行して、内視鏡２を洗浄消毒する。内視鏡２を洗浄消毒する一連の工程が終了すると、ユーザは、内視鏡２をトレー７ごと洗浄槽６から取り出し、内視鏡２を保管庫に保管する一方、洗浄ブラシカセット４０を洗浄ブラシカセット収容部３５から取り外し、この使用済みの洗浄ブラシカセット４０を廃棄して、洗浄作業を終了する。
【００５０】
このように、洗浄ブラシカセット内に洗浄ブラシ及びこの洗浄ブラシのチューブ部を進退させる進退機構部を設ける一方、装置本体に進退機構部に動力を供給する駆動モータを設ける。そして、駆動モータの駆動力を進退機構部に伝達する伝達部材を進退機構部に取り付け、その伝達部材を洗浄ブラシカセットが備える第１の接続口を介して第１の流体供給路に突出した駆動モータに接続する。このことによって、洗浄ブラシカセットを構成するブラシ導出部或いはブラシ収納部の側面に伝達部材を構成する軸部材を配置するための貫通孔が不要になるので、この貫通孔に配設する高価な回転シールを不要にして安価な洗浄ブラシカセットを実現できる。
【００５１】
また、洗浄ブラシカセットを構成するブラシ導出部の一方端に、第１の接続口を備える第１突出部と第２の接続口を備える第２突出部と並設させるとともに、洗浄ブラシカセット収容部の洗浄槽側壁に第１の流体供給路の流出口と、第２の流体供給路の流入口とを形成している。このことによって、洗浄ブラシカセット収容部の凹み空間部内に導いた洗浄ブラシカセットの第１の接続口及び第２の接続口を、第１の流体供給路の流出口及び第２の流体供給路の流入口に向けて移動させる動作によって、第１接続口を第１の流体供給路に接続すること、第２接続口を第２の流体供給路に接続すること、及び接続部を係入部材の係入溝に係入することを略同時に行うことができる。
【００５２】
なお、上述した実施形態において、装置本体４は、凹み部３６を有する洗浄ブラシカセット収容部３５を備える構成であった。しかし、洗浄ブラシカセット収容部３５に凹み空間部３６を設ける代わりに、図５に示すように洗浄槽側壁３６ａに対向する壁取り払って、凹み溝３６Ｂを有する洗浄ブラシカセット収容部３５Ａを装置本体４に設ける構成にしてもよい。洗浄ブラシカセット収容部３５Ａも、図示しない蓋部材によって塞がれる構成になっている。
【００５３】
この構成によれば、内視鏡洗浄消毒装置３の洗浄ブラシカセット収容部３５Ａに洗浄ブラシカセット４０を取り付ける際、前記図４の矢印Ａで示した動作を行うことなく、ユーザが破線に示すように洗浄ブラシカセット４０の第１の接続口４３ａ及び第２の接続口４４ａを流出口３７ａ及び流入口３８ａに対向させて、洗浄ブラシカセット４０を凹み溝３６Ａに配置する。そして、この洗浄ブラシカセット４０を矢印Ｂに示すように流出口３７ａ及び流入口３８ａに向けて移動して、上述したように第１接続口４３ａを第１の流体供給路３７に接続すること、第２接続口４４ａを第２の流体供給路３８に接続すること、及び接続部７０を係入部材７３の係入溝７３ａに係入することを略同時に行って、洗浄ブラシカセット４０の取り付けを完了する。
【００５４】
このように、装置本体に設けられる洗浄ブラシカセット収容部に凹み空間部を設ける代わりに凹み溝を設けることによって、洗浄ブラシカセットの接続口を流出口に向けて移動させる１動作によって、第１接続口を第１の流体供給路に接続すること、第２接続口を第２の流体供給路に接続すること、及び接続部を係入部材の係入溝に係入することを略同時に行うことができる。このことによって、洗浄ブラシカセットの取り付け及び取り外しを、より容易に行える。
【００５５】
また、図６に示すようにブラシ導出部４１を構成する第１突出部４３の内孔に例えば接続部７０の外周面を保持する保持孔４６ａを有する保持部４６を設ける。このことによって、伝達部材６５を構成する接続部７０を第１突出部４３内の所定位置に安定した状態で保持することができるとともに、係入部材７３との接続をより速やかに確実に行うことができる。符号４７は固定面であって、基端側開口の外周に設けられている。固定面には例えば接着剤が塗布され、ブラシ収納部４２の先端側開口の内周に設けられた図示しない固定面と接着される。
【００５６】
上述した実施形態においては、係入部材７３に係入溝７３ａを設ける構成を示しているが、接続部７０側に係入溝を設け、係入部材側に係入凸部を設ける構成であってもよい。また、係入溝７３ａの形状は、直線形状に限定されるものではなく、十字溝等であってもよい。また、係入部材に接続部が配置される凹部を設ける構成にしてもよい。この構成においては、凹部の外周壁に凹凸部を設ける一方、接続部に前記凹部の凹凸部に係入する凸凹部を設ける。
【００５７】
さらに、上述した実施形態においては、伝達部材６５を構成するネジ歯車６９を予め、ブラシ進退機構部６０を構成する一対のギア６３、６４に噛合して、この伝達部材６５を洗浄ブラシカセット４０に配設する構成としている。しかし、伝達部材６５を洗浄ブラシカセット４０に設けることなく、駆動モータ７１の駆動力を図７、図８に示すようにブラシ進退機構部６０Ａに伝達するように構成してもよい。図７は洗浄ブラシカセットの他の構成例を説明する図、図８は洗浄ブラシカセットに設けられる進退機構部の他の構成例を説明する図である。
【００５８】
図７に示すように本実施形態の洗浄ブラシカセット４０Ａの内部空間４０ａ内にはブラシ進退移動機構６０Ａが設けられている。ブラシ進退移動機構６０Ａは、一対のローラ６１、６２と、一対のギア６３、６４とを備えて構成されている。一対のローラ６１、６２と一対のギア６３、６４とをそれぞれ端部に固設した軸６６、６７は、ブラシ収納部４２内に固設される図示しない固定具に所定間隔で回動自在に軸支されている。
【００５９】
本実施形態においては、駆動モータ７１に伝達部材６５Ａが備えられている。伝達部材６５Ａは、前記ギア６３、６４に噛合するように構成されているネジ歯車７７と、このネジ歯車７７を先端部に固設した駆動モータ７１のモータ軸７８とで構成されている。その他の構成は上述した実施形態と同様であり、同部材には同符号を付して説明を省略する。
【００６０】
この構成によれば、洗浄ブラシカセット４０Ａを洗浄ブラシカセット収容部３５の凹み空間部３６内に導いた後、洗浄ブラシカセット４０Ａを流出口３７ａ、流入口３８ａに向けて移動していくと、第１突出部４３内にネジ歯車７７及びモータ軸７８が挿入される。そして、第１接続口４３ａが第１の流体供給路３７内に挿入されるとともに、第２接続口４４ａが第２の流体供給路３８内に挿入された後に、ネジ歯車７７がブラシ進退移動機構６０Ａを構成する一対のギア６３、６４に噛合する。
【００６１】
その後、第１突出部４３に設けられているＯリング４５を第１の流体供給路３７内に配置し、かつ第２突出部４４に設けられているＯリング４５を第２の流体供給路３８内に配置すると、ネジ歯車７７が一対のギア６３、６４と所定の噛合状態になって、洗浄ブラシカセット４０Ａの取り付けが完了する。
【００６２】
このように、洗浄ブラシカセットに配設される進退移動機構を一対のローラと、一対のギアとを備えて構成する一方、駆動モータにネジ歯車をモータ軸の先端部に固設して構成した伝達部材を設ける。このことによって、洗浄ブラシカセットから伝達部材を無くしてより安価な洗浄ブラシカセットを提供することができる。その他の作用及び効果は前記実施形態と同様である。
【００６３】
なお、本実施形態においては、ネジ歯車７７を一対のギア６３、６４に噛合させて駆動力を伝達する構成にしているが、図８に示すように例えばスパイラルベベルギア７９にモータ軸７８Ａの先端部に設けたピニオンギア８０を噛合させて駆動モータ７１の駆動力をブラシ進退移動機構６０Ｂに伝達する構成にしてもよい。
【００６４】
ブラシ進退移動機構６０Ｂは、一方の軸である例えば軸６７にスパイラルベベルギア７９を設け、軸６６Ａ、６７の一端部に平歯車８１とローラ６１、６２とを一体に設けたギア付きローラ８２、８３とを設けて構成する。この構成においても、軸６６Ａ、６７は、図示しない固定具に所定間隔で回動自在に軸支されている。
【００６５】
一方、駆動モータ７１には、スパイラルベベルギア７９に噛合するピニオンギア８０とこのピニオンギア８０を先端部に設けたモータ軸７８Ａとで構成した伝達部材６５Ｂを設ける。その他の構成は上述した実施形態と同様であり、同部材には同符号を付して説明を省略する。
【００６６】
このようにブラシ進退移動機構６０Ｂを構成することによって、洗浄ブラシカセットを洗浄ブラシカセット収容部３５の凹み空間部３６内に導いた後、この洗浄ブラシカセットを流出口３７ａ、流入口３８ａに向けて移動したとき、第１突出部４３内にピニオンギア８０及びモータ軸７８Ａが挿通される。そして、第１接続口４３ａが第１の流体供給路３７内に挿入されるとともに、第２接続口４４ａを第２の流体供給路３８内に挿入させた後、ピニオンギア８０がスパイラルベベルギア７９に噛合する。
【００６７】
その後、第１突出部４３に設けられているＯリング４５を第１の流体供給路３７内に配置し、かつ第２突出部４４に設けられているＯリング４５を第２の流体供給路３８内に配置すると、ピニオンギア８０とスパイラルベベルギア７９とが所定の噛合状態になって、洗浄ブラシカセット４０Ａの取り付けが完了する。
【００６８】
本実施形態において駆動モータ７１の回転力は、モータ軸７８Ａからピニオンギア８０を介してスパイラルベベルギア７９に伝達される。すると、スパイラルベベルギア７９が固設されている軸６７が回転を開始して、軸６７に設けられているギア付きローラ８３が回転する。ギア付きローラ８３の平歯車８１と、軸６６Ａに設けられているギア付きローラ８２の平歯車８１とが噛合していることにより、軸６７の回転に伴って軸６６Ａも回転する。すると、これらローラ６１、６２間に挟持されている洗浄ブラシ５０のチューブ部５１が前進を開始して、上述の実施形態と同様の作用及び効果を得ることができる。
【００６９】
ところで、手作業による内視鏡洗浄においては、内視鏡管路内を洗浄ブラシでブラシ洗浄している。このブラシ洗浄の際、挿入部の先端開口、或いは操作部に設けられている処置具挿入口から突出した洗浄ブラシのブラシ部を揉み洗いして、このブラシ部に付着した汚れを落として、繰り返しブラシ洗浄を行っていた。洗浄ブラシを内視鏡管路内に自動で挿入して洗浄を行う内視鏡洗浄消毒装置においても、洗浄ブラシのブラシ部に付着した管路内の汚れをこそぎ落として洗浄することが望まれている。
【００７０】
例えば、特開平８−２７５９１７号公報には、洗浄ブラシに相当する掃除用ブラシを内視鏡の管路に自動的に挿入することができるとともに、内視鏡の管路の挿入部の先端の開口から突出させた掃除用ブラシのブラシ部に相当するブラシ毛部に対し洗浄液を供給することにより、ブラシ毛部を洗浄するブラシ洗浄ノズルを備えた洗浄用ブラシ自動挿入装置が開示されている。
【００７１】
しかし、上記洗浄用ブラシ自動挿入装置では、このブラシ部に付着した汚れをブラシ部に流体を供給して落とすだけであるため、ユーザからは、ブラシ部に付着した汚れ等を手でもみ洗いするようにブラシ部に当接して汚れを落とす部材を備えた内視鏡洗浄消毒装置が望まれている。
【００７２】
図９乃至図１４はブラシ部に付着した管路内の汚れを除去するブラシ部洗浄具を備える内視鏡洗浄消毒装置にかかり、図９は洗浄槽に複数のブラシ部洗浄具を設けた洗浄消毒装置本体を説明する図、図１０はブラシ部洗浄具の構成を説明する図、図１１はブラシ部洗浄具によって汚れを落としている状態を説明する図、図１２はブラシ部洗浄具の第１の変形例を説明する図、図１３はブラシ部洗浄具の第２の変形例を説明する図、図１４は第２の変形例のブラシ部洗浄具の流路を説明する断面図である。
【００７３】
図９に示すように本実施形態の内視鏡洗浄消毒装置３Ａは、装置本体４Ａが有する洗浄槽６Ａの底面６ｂの所定の位置に、複数（例えば３つ）のブラシ部洗浄具１１を備えている。ブラシ部洗浄具１１は例えば板状であって、図１０に示すようにバネ付きヒンジ１２に一体的に取り付けられ、図示しないバネの有する付勢力によって起き上がり可能に構成されている。符号６ｃはヒンジ配設凹部である。
【００７４】
本実施形態のブラシ部洗浄具１１は、バネ付きヒンジ１２が有するバネの付勢力によって例えば角度θが６０度の位置に配置される構成である。そして、傾いて配置されたブラシ部洗浄具１１に対して、バネ付きヒンジ１２の有するバネの付勢力に抗する外力が働くことによって、このブラシ部洗浄具１１は底面６ｂ側に倒されていき、図１０、図１１の破線に示すように、底面６ｂと略面一致した状態まで倒れることが可能な構成になっている。また、バネ付きヒンジ１２は、ブラシ部洗浄具１１が二点鎖線に示すように底面６ｂに対して略直立する位置まで回動可能に構成されている。
【００７５】
したがって、洗浄槽６Ａ内に図９の二点鎖線に示すように内視鏡２Ａの操作部２１Ａ、挿入部２２Ａを予め設定された状態に配置したとき、挿入部２２Ａがブラシ部洗浄具１１上に載置されることによってこのブラシ部洗浄具１１は前記図１０、図１１の破線で示したように倒れた状態になる。また、吸引管路洗浄ノズル３４が吸引管路配設部２４に向かって移動するとき、ブラシ部洗浄具１１に当接することによって、このブラシ部洗浄具１１が吸引管路洗浄ノズル３４によって押し倒される。
【００７６】
なお、ブラシ部洗浄具１１は、挿入部２２Ａの長さ寸法を考慮して洗浄槽６Ａの底面６ｂの所定位置に配設されており、挿入部２２Ａの先端面が配置される位置よりも所定距離だけ前方側に位置している。また、洗浄槽６Ａの底面６ｂには操作部２１Ａ、挿入部２２Ａの配置位置をそれぞれ所定の位置に設定する図示しない複数の凸部が配列されている。
【００７７】
図１１に示すようにブラシ部洗浄具１１は、切り欠き溝で構成したブラシ部洗浄溝（以下、スリットと略記する）１３を備えている。スリット１３の幅寸法は、ブラシ毛を植毛されたブラシ部９２が接触してこのブラシ部９２に付着した汚れを効率良くこそぎ落とす幅寸法に設定されている。なお、スリット１３の幅寸法は、洗浄ブラシ９０を構成する例えばワイヤで構成されたブラシ挿入部９１の径寸法より幅広である。符号１４はテーパー面であり、ブラシ挿入部９１をスリット１３内に容易に案内するように上端面１１ｕ側が拡開している。
【００７８】
上述のように構成したブラシ部洗浄具１１を洗浄槽６Ａの底面６ｂに備えた内視鏡洗浄消毒装置３Ａの作用を説明する。  
使用済みの内視鏡２Ａの洗浄消毒を内視鏡洗浄消毒装置３Ａで行う際、ユーザは、使用済みの内視鏡２Ａの操作部２１Ａ、挿入部２２Ａを洗浄槽６Ａの所定位置に設置する。このことによって、挿入部２２Ａの先端面がブラシ部洗浄具１１に所定の位置関係で対峙する。
【００７９】
また、ユーザは、内視鏡洗浄消毒装置３Ａの洗浄ブラシカセット収容部３５に図示しない洗浄ブラシカセットを取り付ける。この後、ユーザは、図示しないトップカバーを閉状態にする。このことによって、内視鏡の洗浄消毒の準備が完了する。
【００８０】
次に、ユーザは、内視鏡洗浄消毒装置３Ａに備えられている図示しない操作パネルにあるスタートスイッチを操作する。すると、内視鏡洗浄消毒装置３Ａの制御部（不図示）は、流体供給ユニット３３、吸引管路洗浄ノズル３４をそれぞれ管路配設部２３、２４に装着するため、流体供給ユニット３３、吸引管路洗浄ノズル３４に対応する図示しないソレノイドを駆動する。そして、制御部は、流体供給ユニット３３及び吸引管路洗浄ノズル３４が管路配設部２３、２４に装着されたことを確認すると、内視鏡２の洗浄工程を開始する。
【００８１】
なお、吸引管路洗浄ノズル３４が吸引管路配設部２４に向かって移動中、吸引管路洗浄ノズル３４がブラシ部洗浄具１１に当接することによって、ブラシ部洗浄具１１は押し倒される。
【００８２】
洗浄工程が開始されると、図示しない循環ポンプの駆動により、洗浄液が洗浄槽６と、流体供給ユニット３３と、吸引管路洗浄ノズル３４とに送液される。また、ブラシ部５２によるブラッシング洗浄を行うため、図示しない駆動モータが駆動される。
【００８３】
吸引管路洗浄ノズル３４に送液された洗浄液は、内視鏡２の吸引管路内に供給されていく。一方、駆動モータの回転力は、図示しない洗浄ブラシカセットが備えるブラシ進退機構のギアに伝達される。すると、一対のローラが回転を開始してローラ間に挟持されている洗浄ブラシ９０のブラシ挿入部９１が前進を開始して洗浄ブラシカセットから送り出されていく。
【００８４】
その後、ブラシ部９２は、制御部の制御によって、前後動を繰り返しながら前進するブラシング動作を開始する。吸引管路内に洗浄液が供給されている状況下で、ブラシ部９２が吸引管路内をブラッシング動作しながら前進していくことによって、吸引管路内がブラッシング洗浄される。そして、モータの回動駆動に伴って、ブラシ部９２は徐々に先端開口２５に近づいていく。
【００８５】
ブラッシング動作中、制御部は、ローラの回転数を検出する図示しない回転検出装置から出力される検出信号を基に挿入部送り量が算出し、送り量が所定量に到達したか否かを判定する。そして、制御部は、演算結果からブラシ部９２が先端開口２５から所定量だけ導出したと判定したなら、洗浄液の供給を停止する。
【００８６】
なお、ブラシ部９２が先端開口２５から導出されたとき、ブラシ部９２がブラシ部洗浄具１１に当接することによって、ブラシ部洗浄具１１は図１１の破線に示すように押し倒される。
【００８７】
そして、ブラシ部９２がブラシ部洗浄具１１を通過して所定量導出されて、洗浄液の供給が停止されると、ブラシ部洗浄具１１はバネ付きヒンジ１２が有するバネの付勢力によって破線の状態から傾いた状態に起き上がる。ブラシ部洗浄具１１が起き上がるとき、ブラシ部洗浄具１１のスリット１３内にブラシ挿入部９１が配置される。
【００８８】
次に、制御部は、ブラシ部９２の汚れを落とす制御を行う。つまり、制御部は、ブラシ部９２を先端開口２５近傍まで後退させる制御と、先端開口２５近傍まで引き戻したブラシ部９２を再びブラシ部洗浄具１１を通過させて所定量導出させる前進制御とを所定の回数だけ繰り返し行って、ブラシ部９２に付着した汚れを除去する開口側汚れ除去動作を行う。
【００８９】
すなわち、ブラシ部洗浄具１１のスリット１３内にブラシ挿入部９１が配置された状態で、ブラシ部９２を先端開口２５近傍まで移動する制御が後退させる制御である。ブラシ部９２がスリット１３内を通過することによって、ブラシ部９２に付着していた管路内の汚れ等がブラシ部洗浄具１１によってこそぎ落とされる。なお、ブラシ部９２がスリット１３を通過するとき、ブラシ部洗浄具１１は図１１に示すように直立状態に保持される。
【００９０】
開口側汚れ除去動作を繰り返し行った後、制御部は、洗浄液の供給を再開するとともに、ブラッシングを行うために前記モータに制御信号を出力してブラシ挿入部９１の巻き取り制御を開始する。このとき、制御部は、ブラシ部９２に前後動を繰り返しながら後退させるブラシング動作を開始させる。
【００９１】
吸引管路内に洗浄液が供給されている状況下で、ブラシ部９２が吸引管路内をブラッシング動作しながら後退していくことによって、吸引管路内はブラッシング洗浄される。そして、モータの回動駆動に伴って、ブラシ部９２は徐々に吸引管路洗浄ノズル３４に近づいていく。
【００９２】
ブラッシング動作中、制御部は、回転検出装置から出力される検出信号を基に算出した挿入部送り量が所定量に到達したか否かを判定する。そして、制御部は、演算結果からブラシ部９２が吸引管路洗浄ノズル３４に到達したと判定したなら、吸引管路洗浄ノズル３４を後退させて初期位置に移動し、その後、洗浄液の供給を停止する制御を行う。吸引管路配設部２４に装着されていた吸引管路洗浄ノズル３４が初期位置に移動することによって、ブラシ部洗浄具１１が傾いた状態で起き上がる。
【００９３】
ここで、制御部は、ブラシ部の汚れを落とす制御を行う。つまり、制御部は、ブラシ部９２を吸引管路配設部２４近傍まで前進させる制御と、吸引管路配設部２４近傍まで前進させたブラシ部９２を再び吸引管路洗浄ノズル３４近傍まで後退させる制御とを所定の回数だけ繰り返し行って、ブラシ部９２の汚れを除去するノズル側汚れ除去動作を行う。
【００９４】
すなわち、前述したようにブラシ部洗浄具１１のスリット１３内にブラシ挿入部９１を配置させた状態で、ブラシ部９２を後退させる制御を行う。このことによって、ブラシ部９２がスリット１３を通過して、ブラシ部９２に付着していた管路内の汚れ等がブラシ部洗浄具１１によってこそぎ落とされる。
【００９５】
ノズル側汚れ除去動作後、制御部は、吸引管路洗浄ノズル３４を再び吸引管路配設部２４に装着するために図示しないソレノイドを駆動し、吸引管路洗浄ノズル３４が吸引管路配設部２４に装着されたことを確認後、再び、内視鏡２の洗浄工程を開始する。
【００９６】
すなわち、洗浄工程においては、前進するブラシング動作、開口側汚れ除去動作、後退するブラッシング動作、ノズル側汚れ除去動作が所定回数、繰り返し行われる。そして、所定の回数これら動作を行った後、洗浄工程を終了して、次の濯ぎ工程に移行する。
【００９７】
このように、洗浄槽の底面の所定位置にスリットを有するブラシ部洗浄具を設けたことによって、ブラシ部をスリットに通して、このブラシ部に付着した汚れの除去を行うことができる。
【００９８】
なお、ブラシ部に付着した汚れの除去を、より確実に行うため、例えば図１２に示すようにブラシ部洗浄具１１近傍に、流体を噴出する流体吐出ノズル１５を設けるようにしてもよい。この構成によれば、スリット１３を通過しようとするブラシ部９２に向けて流体を噴出して、吐出流体とスリット１３とによって、ブラシ部９２に付着した汚れの除去を速やかに行うことができる。
【００９９】
また、図１３に示すようにスリット１３を構成する対向するスリット形成面１６に複数の流体吐出孔１７を設けてブラシ部洗浄具１１Ａを構成するようにしてもよい。ブラシ部洗浄具１１Ａには、図１４に示すように流体吐出孔１７に通じる流路１８が形成されている。符号１９は、接続口であり、この接続口１９に図示しない流体チューブが直接、或いは間接的に接続される。
【０１００】
この構成によれば、ブラシ部９２をスリット１３に通して汚れをこそぎ落としている最中に、１９を介して洗浄液等を供給することによって、複数の流体吐出孔１７からブラシ部９２に吐出流体を噴出させて、ブラシ部９２に付着した汚れの除去をより速やかに行うことができる。
【０１０１】
上述した実施形態においては、ブラシ部洗浄具１１、１１Ａを、バネ付きヒンジ１２によって、洗浄槽６Ａの底面６ｂに対して直立した状態と底面６ｂに対して倒してこの底面６ｂと面一致した状態とに切り替えられる構成にしている。しかし、ブラシ部洗浄具の構成は、バネ付きヒンジ等の付勢手段に限定されるものではなく、図１５乃至図１７に示すように流体の流れを利用するものであってもよい。図１５は流体の流れによって洗浄槽の底面に対して直立した状態と底面に対して面一致した状態とに切り替え可能なブラシ部洗浄具の一構成例を説明する図、図１６は流体の流れによって洗浄槽の底面に対して直立した状態と底面に対して面一致した状態とに切り替え可能なブラシ部洗浄具の他の構成例を説明する図、図１７は図１６のブラシ部洗浄具が流体の供給によって直立した状態を示す図である。
【０１０２】
図１５に示すように本実施形態においては、洗浄槽６Ａの底面６ｂの所定位置にブラシ部洗浄具配設部（以下、洗浄具配設部と記載）６ｄを設けている。洗浄具配設部６ｄには洗浄液、或いは濯ぎ水等を供給する流体供給路６ｅが連通している。
【０１０３】
洗浄具配設部６ｄには、直方体形状のブラシ部洗浄具１００が移動自在に設けられる。ブラシ部洗浄具１００は、前記ブラシ部洗浄具１１と同様なスリット（不図示）及び複数の流体吐出孔１０１を備えている。ブラシ部洗浄具１００には、前記流体吐出孔１７に通じる流路１８を設ける代わりに、流体吐出孔１０１に連通する押し上げ空間１０２が設けられている。  
なお、符号１０３は流体流入口であり、符号１０４は鍔部であり、符号６ｆはストッパーである。
【０１０４】
上述のように構成されているブラシ部洗浄具１００の作用を説明する。  
流体供給路６ｅを介して矢印に示すように例えば洗浄液が供給されると、洗浄液は、流体流入口１０３を介して押し上げ空間１０２に流入する。実線に示すブラシ部洗浄具１００の押し上げ空間１０２に洗浄液が流入することによって、ブラシ部洗浄具１００が上昇されて、破線に示すように底面６ｂに立設した状態になる。このとき、ブラシ部洗浄具１００の図示しないスリット内にブラシ挿入部９１が配設されるとともに、流体吐出孔１０１から洗浄液が噴出される。
【０１０５】
即ち、本実施形態において、制御部は、ブラッシング動作中、挿入部送り量からブラシ部９２が先端開口２５から導出したと判定したなら、洗浄液の供給を一旦停止させて、ブラシ部９２を先端開口２５から所定量、導出させる。
【０１０６】
洗浄液の供給が停止されることによって、破線に示すように底面６ｂから立設しているブラシ部洗浄具１００は、自重で、下降して実線に示すように洗浄具配設部６ｄ内に収容された状態になる。一方、洗浄液の供給停止後、ブラシ部９２を先端開口２５から所定量、導出させることによってブラシ部９２は、ブラシ部洗浄具１００を通過する。
【０１０７】
制御部は、ブラシ部９２の移動を検出した後、流体の供給を再開する。すると、ブラシ部洗浄具１００のスリット内にブラシ挿入部９１が配設され、流体吐出孔１０１から流体が噴出した状態になる。この後、制御部は、ブラシ部９２を所定距離だけ後退させる制御を行う。すると、ブラシ部９２がスリットを通過して汚れがこそぎ落とされるとともに、ブラシ部９２がスリット通過中、このブラシ部９２に吐出流体が噴出されて、ブラシ部９２に付着した汚れが除去される。
【０１０８】
このように、スリット、複数の流体吐出孔１０１及び押し上げ空間１０２を備えるブラシ部洗浄具１００を、流体供給路６ｅに連通する洗浄具配設部６ｄに配設することによって、流体供給路６ｅを介して流体をブラシ部洗浄具１００の押し上げ空間１０２に供給することによって、洗浄具配設部６ｄに収容された状態のブラシ部洗浄具１００を底面６ｂから立設させることができる。
【０１０９】
なお、図１６に示すように断面形状がＬ字形状で板状のブラシ部洗浄具１１０を、洗浄具配設部６ｄ１に軸１１３で回動自在に配設するようにしても良い。  
ブラシ部洗浄具１１０は、スリット（不図示）を備える洗浄部１１１と、流体受け部１１２とを備えて構成されている。符号１１４は流体吐出孔であり、流体吐出孔１１４を通過した洗浄液、或いは濯ぎ水等はスリットに向かって噴出される。
【０１１０】
なお、ブラシ部洗浄具１１０は、流体供給路６ｅに流体が供給されていない状態のとき、自重によって図１６に示すように洗浄部１１１を構成する第１平面１１１ａが洗浄槽６Ａの底面６ｂと略面一致状態になるように構成されている。
【０１１１】
この構成によれば、流体供給路６ｅを介して図１６の破線の矢印に示すように例えば洗浄液を供給すると、供給された洗浄液が、流体受け部１１２に衝突する。すると、洗浄液の一部が、流体吐出孔１１４及び流体供給路６ｅと流体受け部１１２との隙間から流出するが、洗浄液の供給に伴って流体受け部１１２を押圧する流圧が上昇して、ブラシ部洗浄具１１０が軸１１３を中心に回転して、図１７に示すように洗浄部１１１が底面６ｂから立設した状態になる。
【０１１２】
このことによって、図１５に示したブラシ部洗浄具１００と同様の作用及び効果を得ることができる。
【０１１３】
尚、本発明は、以上述べた実施形態のみに限定されるものではなく、発明の要旨を逸脱しない範囲で種々変形実施可能である。
【０１１４】
［付記］
１．内視鏡管路を備える内視鏡を洗浄する洗浄槽を有する内視鏡洗浄装置本体と、前記内視鏡の内視鏡管路を洗浄する洗浄ブラシ及びこの洗浄ブラシのブラシ挿入部を進退させる進退機構部を備える洗浄ブラシカセットとを備える内視鏡洗浄消毒装置において、
前記洗浄槽の底面に、前記洗浄ブラシのブラシ部に付着した汚れを除去するブラシ部洗浄具を設けた内視鏡洗浄消毒装置。
【０１１５】
２．前記ブラシ部洗浄具は、前記洗浄ブラシのブラシ部の外径寸法より幅狭で、前記ブラシ挿入部の外径寸法より幅広のスリットを有する付記１に記載の内視鏡洗浄消毒装置。
【０１１６】
３．前記ブラシ部洗浄具は、前記スリットの上端面側に前記ブラシ部挿入部を当該スリットに案内するテーパー面を有する付記２に記載の内視鏡洗浄消毒装置。
【０１１７】
４．前記ブラシ部洗浄具は、前記洗浄槽の底面から立設した状態と、前記洗浄槽の底面と面一致した状態とに動作可能である付記１に記載の内視鏡洗浄消毒装置。
【０１１８】
５．前記ブラシ部洗浄具は、当該ブラシ部洗浄具を保持する保持部材が備える付勢手段の付勢力によって立設する付記４に記載の内視鏡洗浄消毒装置。
【０１１９】
６．前記ブラシ部洗浄具は、当該ブラシ部洗浄具の備える流体吐出孔に供給される液体によって立設する付記４に記載の内視鏡洗浄消毒装置。
【図面の簡単な説明】
【０１２０】
【図１】図１乃至図６は本発明の一実施形態に係り、図１は内視鏡洗浄消毒システムを説明する図
【図２】洗浄ブラシカセットに備えられる洗浄ブラシ及び進退機構部の構成を説明する図
【図３】洗浄消毒装置本体に設けられる洗浄ブラシカセット収容部と流体供給管路と駆動モータとの関係を説明する図
【図４】洗浄ブラシカセットを洗浄消毒装置本体の洗浄ブラシカセット収容部に取り付けた状態を説明する図
【図５】洗浄消毒装置本体に設けられる洗浄ブラシカセット収容部の他の構成例と、洗浄ブラシカセットとの関係を説明する図
【図６】洗浄ブラシカセットを構成するブラシ導出部の他の構成を説明する図
【図７】洗浄ブラシカセットの他の構成例を説明する図
【図８】洗浄ブラシカセットに設けられる進退機構部の他の構成例を説明する図
【図９】図９乃至図１４はブラシ部に付着した管路内の汚れを除去するブラシ部洗浄具を備える内視鏡洗浄消毒装置にかかり、図９は洗浄槽に複数のブラシ部洗浄具を設けた洗浄消毒装置本体を説明する図
【図１０】ブラシ部洗浄具の構成を説明する図
【図１１】ブラシ部洗浄具によって汚れを落としている状態を説明する図
【図１２】ブラシ部洗浄具の第１の変形例を説明する図
【図１３】ブラシ部洗浄具の第２の変形例を説明する図
【図１４】第２の変形例のブラシ部洗浄具の流路を説明する断面図
【図１５】流体の流れによって洗浄槽の底面に対して直立した状態と底面に対して面一致した状態とに切り替え可能なブラシ部洗浄具の一構成例を説明する図
【図１６】流体の流れによって洗浄槽の底面に対して直立した状態と底面に対して面一致した状態とに切り替え可能なブラシ部洗浄具の他の構成例を説明する図
【図１７】図１６のブラシ部洗浄具が流体の供給によって直立した状態を示す図
【符号の説明】
【０１２１】
１…内視鏡洗浄消毒システム    ２…内視鏡    ２ａ…吸引管路    
３…内視鏡洗浄消毒装置    ４…装置本体    ６…洗浄槽    ６ｂ…底面
２１…操作部    ２２…挿入部    ３３…流体供給ユニット    
３４…吸引管路洗浄ノズル    ３５…洗浄ブラシカセット収容部
３７…第１の流体供給路    ３８…第２の流体供給路    ３９…洗浄消毒流路
４０…洗浄ブラシカセット    ４１…ブラシ導出部    ４２…ブラシ収納部
４３…第１突出部    ４３ａ…第１接続口    ４４…第２突出部    ４４ａ…第２接続口
４５…Ｏリング    ５０…洗浄ブラシ    ５１…チューブ部    ５２…ブラシ部
６０…ブラシ進退機構部    ６１…第１のローラ    ６２…第２のローラ    
６３…第１のギア    ６４…第２のギア    ６５…伝達部材    ６６…第１軸    
６７…第２軸    ６８…軸部材    ６９…ネジ歯車    ７０…接続部    
７１…駆動モータ    ７２…モータ軸    ７３…係入部材    ７３ａ…係入溝    
７５…段付き孔    ７６…回転シール
【図１】
2009183470.tif 000003
【図２】
2009183470.tif 000004
【図３】
2009183470.tif 000005
【図４】
2009183470.tif 000006
【図５】
2009183470.tif 000007
【図６】
2009183470.tif 000008
【図７】
2009183470.tif 000009
【図８】
2009183470.tif 000010
【図９】
2009183470.tif 000011
【図１０】
2009183470.tif 000012
【図１１】
2009183470.tif 000013
【図１２】
2009183470.tif 000014
【図１３】
2009183470.tif 000015
【図１４】
2009183470.tif 000016
【図１５】
2009183470.tif 000017
【図１６】
2009183470.tif 000018
【図１７】
2009183470.tif 000019